(57)【要約】【課題】  利用者にとってルート上の目印となり、かつ広告効果も高い広告情報提供サーバとその端末装置を提供する。【解決手段】  移動体端末４０の表示装置４６に地図情報１００を表示し、この地図１００上に目的地までのルート１１０と、このルート１１０上に存在する画像情報１０１を表示し、この画像情報１０１の近傍の広告情報１０３を表示し、この広告情報１０３に移動体からの到達情報１０２を表示するとともに、この到達情報１０２を移動体４０の移動にともなって補正するようにする。【選択図】  図１
2010102685.tif 000002
【特許請求の範囲】
【請求項１】
通信手段を介して、移動体端末から目的地までのルート情報を取得し、撮影座標情報を備えた画像情報を管理する画像情報管理サーバから、前記ルート情報に関連した画像情報を取得して、この取得した画像情報を含む各種の情報を前記移動体端末に送信する広告情報提供サーバであって、
地図情報を格納した地図情報管理データベースと、所在地の座標情報と営業時間情報を備えた広告情報を格納した広告情報管理データベースとを備え、
前記移動体端末から出発時間と目的地までのルート情報を受け付け、
前記画像情報管理サーバから前記ルート情報に関する画像情報を取得し、
前記画像情報の前記撮影座標情報と、前記所在地の座標情報と、前記営業時間情報から、広告情報管理データベースを検索して、前記画像情報の撮影座標情報に前記移動体端末が到達した際に有効な広告情報を抽出し、
前記画像情報と、この画像情報に対応して抽出された広告情報を、地図のルート上にマッピングする広告ウインドウとして生成し、
前記広告ウインドウを前記移動体端末に送信し、
前記広告ウインドウは、前記画像情報と、前記抽出された広告情報の名称と、広告情報の所在地までの到達情報を備えている
ことを特徴とする広告情報提供サーバ。
【請求項２】
請求項１記載の広告情報提供サーバにおいて、
画像情報管理サーバは、投稿者から投稿された検索キーワードを備えた画像情報であって、
前記広告情報は、検索キーワードとなる種別情報を備えており、
広告情報提供サーバは、前記ルート情報を受け付ける際に、前記検索キーワードを受け付けて、当該キーワードに該当する前記画像情報と前記広告情報を備えた前記広告ウインドウを生成する
ことを特徴とする広告情報提供サーバ。
【請求項３】
位置確認手段と地図情報および表示装置とを備え、通信手段を介して広告情報提供サーバと接続して、目的地までのルート情報に関する情報と、当該ルートに関連する広告情報を取得する広告情報提供システムの移動体端末であって、
前記表示装置に目的地選択画面を表示して、目的地情報と出発時間情報を受け付け、この目的地情報と出発時間情報を前記広告情報提供サーバに送信し、
前記広告情報提供サーバから、目的地情報に該当するルート上にマッピングされる広告ウインドウを取得し、
前記ルート情報で設定されるルートを備えた地図上に前記広告ウインドウをマッピングして前記表示装置に表示し、
前記広告ウインドウは、前記ルート情報に該当する撮影座標情報を備えた画像情報と、撮影座標の近傍の座標情報を備え、かつこの移動体端末が前記撮影座標に到達した際に有効な広告情報と、前記広告情報の前記座標情報までの到達情報を備えている
ことを特徴とする移動体端末。
【請求項４】
前記請求項３記載の移動体端末において、
前記移動体端末は、位置確認手段で取得した所定の移動距離に基づいて、前記到達情報を再計算して随時更新する
ことを特徴とする移動体端末。
【請求項５】
前記請求項３または４記載の移動体端末において、
前記移動体端末は、前記広告情報提供サーバから前記広告ウインドウを取得すると、目的地までのルートを表示して利用者の確認を求める全ルート表示画面を前記表示装置に表示し、
利用者からの前記全ルート表示画面におけるルートの了解を受け付けて、移動体の現在位置を中心とするルートを備えた現在地案内画面を前記表示装置に表示し、
前記全ルート表示画面は、ルートに沿って広告ウインドウがマッピングされた地図を表示する全ルート表示領域と、前記広告ウインドウを拡大した拡大ウインドウを表示するウインドウ表示領域とを備え、
前記現在地案内画面は、ルートに沿って前記広告ウインドウがマッピングされた地図が表示され、
前記現在地案内画面における前記広告ウインドウは、予め設定された距離に近づくとルートから外れた位置に拡大表示される
ことを特徴とする移動体端末。
【請求項６】
請求項１記載の広告情報提供サーバにおいて、
移動体端末の利用者のプロファイル情報を格納した会員管理データベースをさらに備え、
前記広告情報管理データベースは広告主が指定したプロファイル情報を格納し、
前記広告情報の抽出にあたっては、前記プロファイル情報を検索条件の一つとする
ことを特徴とする広告情報提供サーバ。
【請求項７】
請求項１記載の広告情報提供サーバにおいて、
前記広告情報管理データベースは広告主が設定した広告表示エリア情報を格納し、
前記広告情報の抽出にあたっては、前記広告表示エリア情報を検索条件の一つとする
ことを特徴とする広告情報提供サーバ。
【請求項８】
請求項１記載の広告情報提供サーバにおいて、
前記移動体端末が所定時間停車した位置と日時の情報を前記移動体端末から取得し、
前記停車位置が前記広告情報管理データベースの住所情報と一致するか否かを判定し、
一致するものについて前記日時情報と前記移動体端末の利用者番号を記録する
ことを特徴とする広告情報提供サーバ。
【発明の詳細な説明】
【技術分野】
【０００１】
本発明は、移動体の位置により広告主までの到達情報を随時補正して提供する広告情報提供サーバとその移動体端末に関する。
【背景技術】
【０００２】
近年、ＧＰＳ機能により移動体の位置を確認して、この移動体の位置を地図上に表示するナビゲーションシステムが広く普及している。特に、カーナビと呼ばれる車載用ナビゲーションシステムは利用者の生活にとって欠かせないものとなっており、使い勝手を向上する各種の提案がなされている。
【０００３】
例えば、従来技術においては、カメラを備えた移動体から写真の投稿情報や広告情報を受け付け、これをエディタとよばれる編集者が編集して利用者に提供する技術が提案されている。また、地図上に配置される広告情報が、所定距離に近づくと拡大表示されるものも提案されている。更に、従来のカーナビでは、目的地までの予想時間が表示され、高速道路走行時には、サービスエリアやインターまでの距離が表示される。
【先行技術文献】
【特許文献】
【０００４】
【特許文献１】特開２００２−１５０７８号公報
【特許文献２】特開２００５−３１３３６号公報
【特許文献３】特開２００１−９１２７３号公報
【発明の概要】
【発明が解決しようとする課題】
【０００５】
前記従来のカーナビによれば、目的地までの到着時間やそのルートが分かるので便利である。また、ルート上で投稿された写真や広告なども表示され、また、必要により拡大表示されれば、必要な情報を入手することができる。
【０００６】
また、従来技術では、高速道路などでは、途中のインターやサービスエリアまでの距離が表示されるため、トイレやガソリン補給の目印となって便利である。しかしながら、目印の無い一般道路では途中の距離が表示されない。また、風景写真などの投稿情報は道案内となる便利目印となるものであるが、その投稿情報までの距離は表示されない。また広告情報は、必要な情報を入手するときには便利であるが、通常の走行時にはルート（地図）確認の妨げとなるものであり、利用者にとって注目されるものではないため、広告効果としては低いとの課題がある。
【０００７】
そこで、この発明の目的は、利用者にとってルート上の目印となり、かつ広告効果も高い広告情報提供サーバとその端末装置を提供することにある。
【課題を解決するための手段】
【０００８】
本発明では、前記目的を達成するために、移動体端末の表示画面に地図情報を表示し、この地図上に目的地までのルートと、このルート上に存在する画像情報を表示し、この画像情報の近傍の広告情報を表示し、この広告情報に移動体からの到達情報を表示するとともに、この到達情報を移動体の移動にともなって補正するようにする。
【０００９】
具体的には、この発明に係る広告情報提供サーバは、通信手段を介して、移動体端末から目的地までのルート情報を取得し、撮影座標情報を備えた画像情報を管理する画像情報管理サーバから、前記ルート情報に関連した画像情報を取得して、この取得した画像情報を含む各種の情報を前記移動体端末に送信するものであって、地図情報を格納した地図情報管理データベースと、所在地の座標情報と営業時間情報を備えた広告情報を格納した広告情報管理データベースとを備え、前記移動体端末から出発時間と目的地までのルート情報を受け付け、前記画像情報管理サーバから前記ルート情報に関する画像情報を取得し、前記画像情報の前記撮影座標情報と、前記所在地の座標情報と、前記営業時間情報から、広告情報管理データベースを検索して、前記画像情報の撮影座標情報に前記移動体端末が到達した際に有効な広告情報を抽出し、前記画像情報と、この画像情報に対応して抽出された広告情報を、地図のルート上にマッピングする広告ウインドウとして生成し、前記広告ウインドウを前記移動体端末に送信し、前記広告ウインドウは、前記画像情報と、前記抽出された広告情報の名称と、広告情報の所在地までの到達情報を備えるようにする。
【００１０】
この場合、画像情報管理サーバは、投稿者から投稿された検索キーワードを備えた画像情報であって、前記広告情報は、検索キーワードとなる種別情報を備えており、広告情報提供サーバは、前記ルート情報を受け付ける際に、前記検索キーワードを受け付けて、当該キーワードに該当する前記画像情報と前記広告情報を備えた前記広告ウインドウを生成する。
【００１１】
また、本発明に係る移動体端末は、位置確認手段と地図情報および表示装置とを備え、通信手段を介して広告情報提供サーバと接続して、目的地までのルート情報に関する情報と、当該ルートに関連する広告情報を取得する広告情報提供システムの移動体端末であって、前記表示装置に目的地選択画面を表示して、目的地情報と出発時間情報を受け付け、この目的地情報と出発時間情報を前記広告情報提供サーバに送信し、前記広告情報提供サーバから、目的地情報に該当するルート上にマッピングされる広告ウインドウを取得し、前記ルート情報で設定されるルートを備えた地図上に前記広告ウインドウをマッピングして前記表示装置に表示し、前記広告ウインドウは、前記ルート情報に該当する撮影座標情報を備えた画像情報と、撮影座標の近傍の座標情報を備え、かつこの移動体端末が前記撮影座標に到達した際に有効な広告情報と、前記広告情報の前記座標情報までの到達情報を備えるようにする。
【００１２】
この場合、前記移動体端末は、位置確認手段で取得した所定の移動距離に基づいて、前記到達情報を再計算して随時更新するようにする。また、前記移動体端末は、前記広告情報提供サーバから前記広告ウインドウを取得すると、目的地までのルートを表示して利用者の確認を求める全ルート表示画面を前記表示装置に表示し、利用者からの前記全ルート表示画面におけるルートの了解を受け付けて、移動体の現在位置を中心とするルートを備えた現在地案内画面を前記表示装置に表示し、前記全ルート表示画面は、ルートに沿って広告ウインドウがマッピングされた地図を表示する全ルート表示領域と、前記広告ウインドウを拡大した拡大ウインドウを表示するウインドウ表示領域とを備え、前記現在地案内画面は、ルートに沿って前記広告ウインドウがマッピングされた地図が表示され、前記現在地案内画面における前記広告ウインドウは、予め設定された距離に近づくとルートから外れた位置に拡大表示されるようにする。
【発明の効果】
【００１３】
本発明によれば、目的地までのルートを表示する地図上に、ルート上の目印となる画像情報と、到達情報を備えた広告情報とを対で表示することで、利用者に利用されやすい広告情報を提供することができる。
【図面の簡単な説明】
【００１４】
【図１】この実施例に係る広告情報提供システムのシステム構成図である。
【図２】投稿カーナビ端末の投稿情報のデータ構成図である。
【図３】投稿情報管理ＤＢのデータ構成図である。
【図４】広告情報管理ＤＢのデータ構成図である。
【図５】ナビゲーションシステムの動作フロー図である。
【図６】カーナビ端末の画面遷移図である。
【図７】カーナビ端末の画面遷移図である。
【図８】カーナビ端末の画面遷移図である。
【図９】カーナビ端末の画面遷移図である。
【図１０】第２実施例に係る広告情報提供システムのシステム構成図である。
【図１１】第２実施例に係る投稿カーナビ端末の自動撮影機能の動作フローを示したものである。
【図１２】第２実施例に係る投稿カーナビ端末の撮影時の動作フローである。
【図１３】第２実施例に係るカーナビ端末の動作フロー図である。
【発明を実施するための形態】
【００１５】
以下、図１から図１３を参照して、この発明に係る広告情報提供システムを具体的に説明する。ここで、図１から図９が第１実施例に係る広告情報提供システム、図１０から図１３が第２実施例に係る広告情報提供システムを示している。なお、同一部位や矢印などは同一符号をもって示し重複した説明を省略する。
（第１実施例）
図１から図９は第１実施例に係る広告情報提供システムである。
【００１６】
先ず、図１を参照して、この実施例に係る広告情報提供システムを具体的に説明する。ここで、図１は、この実施例に係る情報提供システムのシステム構成図である。
【００１７】
図１において、符号１で総括的に示す広告情報提供システムは、利用者に目的地までの到達ルートと広告などの各種の情報を提供するナビゲーションシステム２と、利用者に提供する画像情報を収集する投稿情報収集システム３とを含んで構成される。この広告情報提供システム１は、目的地までのルート１１０を表示する地図１００上に、このルート１１０の目印となる画像情報として利用者から収集した投稿情報１０１を広告ウインドウ１２０（拡大ウインドウ１２０ａ）に表示し、この広告ウインドウ１２０（拡大ウインドウ１２０ａ）に到達情報１０２を備えた広告情報１０３を対で表示することで、利用者に利用されやすい広告情報１０３を提供するものである。
【００１８】
前記ナビゲーションシステム２は、利用者の自動車に設置される移動体端末（以下カーナビ端末という）４０と、このカーナビ端末４０に各種の情報を提供するナビゲーション管理サーバ（以下カーナビ管理サーバという）２０と、カーナビ端末４０やカーナビ管理サーバ２０に道路事情を提供する道路情報提供サーバ３０と、カーナビ管理サーバ２０に対して広告情報１０３を申請して提供する広告申込み端末３５と、これら機器を無線通信回線やネットワークで接続する通信網５とを含んで構成される。
【００１９】
一方、投稿情報収集システム３は、画像情報である投稿情報１０１を提供する投稿カーナビ端末１１と、この投稿された投稿情報１０１を、通信網５を介して、収集管理する投稿管理サーバ１２とを含んで構成される。この実施例に係る投稿カーナビ端末１１はカーナビ端末４０と同種の機能を備えたものであり、カーナビ端末４０が投稿カーナビ端末１１に成りえるものである。
【００２０】
また、この実施例では、カーナビ管理サーバ２０と投稿管理サーバ１２は、ナビゲーション運営会社（以下カーナビ運営会社）１０が運用するシステムとしている。もちろん、この２つのサーバは別の運営会社で運用してもよい。
【００２１】
投稿管理サーバ１２は、この投稿管理サーバ１２を統括的に制御する投稿管理制御部１３と記憶装置１４とを備えている。この記憶装置１４には、投稿情報１０１を格納する投稿情報管理ＤＢ１５と、投稿カーナビ端末１１を備えた会員の名簿情報を備えた会員管理ＤＢ１６を格納している。
【００２２】
この実施例に係る投稿情報収集システム３の目的は、各会員から収集した投稿情報１０１を必要な他の会員に公開・提供することで、投稿情報１０１を共有することにある。投稿情報１０１を提供した会員には、対応したポイントが付与されるとともに、投稿情報１０１をアルバムとして蓄積したり、あるいは付属情報の書き込みも行うことができる。
【００２３】
カーナビ管理サーバ２０は、このカーナビ管理サーバ２０を統括的に制御するナビ管理制御部２１と、記憶装置２４とを備えている。ナビ管理制御部２１は、目的地までのルートを検索するルート検索部２２と、カーナビ端末４０に提供する広告ウインドウ１２０を生成する広告ウインドウ生成部２３とを備えている。記憶装置２４は、地図情報を管理する地図情報管理ＤＢ２５と、広告申込み端末３５から収集した広告情報１０３を格納する広告情報管理ＤＢ２６と、カーナビ端末４０を備えた会員の名簿情報を備えた会員管理ＤＢ２７などを格納している。ここで、投稿情報収集システム３の会員管理ＤＢ１６と、ナビゲーションシステム２の会員管理ＤＢ２７とをカーナビ運営会社１０として共有することができる。
【００２４】
一方、カーナビ端末４０は、このカーナビ端末４０を統括的に制御する端末制御部４１と、カメラ４２と、カーナビ端末４０を操作するための操作部４３と、全地球測位システム（ＧＰＳ）を用いたＧＰＳ部４４と、通信網５と接続するための通信部４５と、各種の情報を表示する表示装置４６と、地図情報を格納した記憶部４７とを含んで構成される。
【００２５】
なお、道路情報提供サーバ３０は、道路の渋滞情報や工事などの道路情報を提供する公知のシステムである。また、広告申込み端末３５は、極一般的なパーソナルコンピュータで構成され、通信網５を介して、広告情報１０３を提供するものである。
【００２６】
そして、この実施例に係る広告情報提供システム１の大きな特徴の１つは、目的地までのルート１１０を表示する地図１００上に、このルート１１０の目印となる画像情報として利用者から収集した投稿情報１０１を広告ウインドウ１２０に表示する点にある。
【００２７】
即ち、利用者はナビゲーションシステム２を目的地までの案内役として活用している。したがって、利用者はナビゲーションシステム２から提供されるルート１１０を間違いなく行けば、最短で目的までいくことができる。しかし、利用者は、地図１００上に表示されるルート１１０をしばしば間違えることもある。このような時に、ルート１１０上に目印となる建物や風景画像があれば前記課題を軽減することができる。
【００２８】
一方、一般の広告情報は、ナビゲーションシステムを利用する利用者にとっては補足的な情報であり、食事所やコンビニなどの情報が必要なときは有効であるが、他の通常走行では有効な情報ではない。この意味で、ナビゲーションシステムの広告情報は、広告効率が少ないともいえる。
【００２９】
そこで、この実施例では、ルート１１０上に表示される画像情報を、他の利用者が提供する投稿情報１０１を利用する。この投稿情報１０１によれば、他の利用者（投稿者）が興味を持って撮影（投稿）した情報であるために、この投稿情報１０１を利用する他の利用者にも興味を持って注目されやすい情報である。
【００３０】
そして、この実施例では、この投稿情報１０１と、この投稿情報１０１の近傍の広告情報１０３を１つの情報として広告ウインドウ１２０内に表示する。これによれば、利用者は、広告ウインドウ１２０内に表示される目印となる投稿情報１０１と広告情報１０３を同時に視認することとなるため、広告情報１０３を利用者に受け入れやすくすることができる。
【００３１】
また、この実施例に係る広告情報提供システム１の大きな特徴の他の１つは、広告ウインドウ１２０に表示される広告情報１０３に到達情報１０２を備えた点にある。
【００３２】
即ち、従来技術では、高速道路の走行においては、途中のサービスエリアやインターなどが距離情報とともに表示されるため、運転者にとって、休憩やトイレのタイミングを計る有用な情報となっている。しかし、一般道の走行では、サービスエリアやインターなどの明確な箇所(目印)がないために、途中の距離情報は表示されない。
【００３３】
そこで、この実施例では、目印となる投稿情報１０１に、この投稿情報１０１の近傍までの到達情報１０２を表示する。ここで、投稿情報１０１までの時間や距離などからなる到達情報１０２を表示することも有用な情報であるが、この実施例では、投稿情報の近傍に存在する広告主までの到達情報１０２をカーナビ端末４０の移動に伴って常に最新の情報として表示する。これにより、到達情報１０２を備えた広告主の広告情報の認識度を向上させることができる。また、ここで表示する到達情報１０２は、予想値であるために、あくまでも目安となるものである。したがって、この到達情報１０２は投稿情報１０１までの到達情報１０２ともいえるので、利用者にとって有用な目印情報となる。
【００３４】
なお、この実施例では、広告ウインドウ１２０が所定の距離に近づくと、図１に示すように、ルート１１０からはずれた位置に、拡大ウインドウ１２０ａをアニメーションで拡大表示する。この拡大ウインドウ１２０ａは、広告ウインドウ１２０を選択操作することでも拡大ウインドウ１２０ａとして表示させることができる。この実施例では広告ウインドウ１２０は、投稿情報１０１の画像が識別できる程度のアイコン形式の表示を行い、拡大ウインドウ１２０ａでは投稿情報１０１の画像と広告情報１０３の名称と概要情報及び到達情報１０２を表示するようにする。ここで、拡大ウインドウ１２０ａを選択操作することで、広告情報の全ての情報を表示する図示しない全画面表示を行うことができる。
【００３５】
以下、この実施例に係る広告情報提供システム１を更に詳細に説明する。
【００３６】
先ず、図１と図２及び図３を参照して、投稿情報収集システム３について具体的に説明する。ここで、図２は投稿カーナビ端末の投稿情報のデータ構成図であり、(ａ)図が投稿情報のデータ構成図、（ｂ）図が撮影状態の説明図である。図３は投稿情報管理ＤＢのデータ構成図である。
【００３７】
先ず、図１において、この実施例では、投稿カーナビ端末１１はカーナビ端末４０と同様に、端末制御部４１５とカメラ４２と操作部４３とＧＰＳ部４４と通信部４５と表示装置４６と記憶部４７と同等な機能を備えている。また、カーナビ端末４０と投稿カーナビ端末１１は、車のダッシュボードに取り付ければ車載用のナビゲーション端末となり、また、ダッシュボードから取り付り外して携帯すれば携帯用のナビゲーション端末を構成する。
【００３８】
図２の（ｂ）図に示すように、この実施例の投稿カーナビ端末１１は、ダッシュボードに取り付けられて設置することで、運転しながらのカメラ撮影が可能である。例えば、この実施例では、カメラ４２の光軸Ｐ１が車の進行方向に向かって取り付けられる。このように取り付けると、（ｂ）図の状態では、進行方向にある撮影物９０を撮影することができる。
【００３９】
さて、（ｂ）図の状態で、操作部４３の撮影スイッチが操作されると、投稿カーナビ端末１１の図示しない端末制御部は、投稿情報１０１を生成して、投稿管理サーバ１２に送信する。ここで、端末制御部は、図示しない記憶装置に一端格納して、まとめて投稿管理サーバ１２に送信してもよい。
【００４０】
図２(ａ)図に示すように、投稿情報１０１は、投稿カーナビ端末１１で特定される会員番号と、撮影した際に端末制御部によって自動生成される撮影画像の固有の識別番号と、撮影したに日時情報と、撮影した場所の座標情報と、カメラ４２の車の進行方向に対するずれを補正する設置補正と、道路の進行方向を示す走行方向と、カメラ４２の光軸Ｐ１（撮影方向）の方位情報と、撮影した画像情報とを含んで構成される。ここで、設置補正は、車の正面に対するカメラ４２の光軸Ｐ１の傾きを示すものであるため、車に設置する際に予め設定する。また、走行方向は、走行している道路の「上り」「下り」を示すものであって、地図情報から取得される。
【００４１】
図３において、この実施例の投稿管理サーバ１２は、前記投稿情報１０１を受け付けると、投稿情報管理ＤＢ１５に格納する。この投稿情報管理ＤＢ１５は、投稿情報１０１を受け付けた順に付与する受付番号と、前記会員番号と、これに対応して投稿された前記投稿情報１０１の各項目が格納される。この他、この実施例では、検索キーや天候の入力欄が設けられている。
【００４２】
この実施例では、投稿者が、図示しないパーソナルコンピュータを介して、後日、投稿管理サーバ１２にアクセスして、撮影物９０の補足情報として検索キーや天候の情報を入力することができる。そして、投稿者は、これらの投稿情報管理ＤＢ１５に格納した自分の投稿情報を日付や検索キーを介して検索して抽出することができるので、自分のアルバムとして利用することができる。また、投稿者は、この投稿情報１０１を他の利用者に公開して提供することができる。これにより、投稿情報１０１の格納料金の減額を受けたり、ポイントを取得したりすることができる。
【００４３】
次に、図１と図４を参照して、広告情報管理ＤＢ２６について具体的に説明する。ここで、図４は広告情報管理ＤＢのデータ構成図である。
【００４４】
先ず、図１において、この実施例では、カーナビ管理サーバ２０が、広告申し込み端末３５から広告の申請を受け付けると、この申請された情報を広告情報管理ＤＢ２６に格納する。この広告情報管理ＤＢ２６のデータ構成を図４に示す。
【００４５】
図４において、この実施例の広告情報管理ＤＢ２６は、申請した順番に固有に割り当てられる登録番号と、店舗名などの広告主の名称を示す名称情報と、ガソリンスタンドやレストラン、あるいはコンビになどの予め設定される選択枝から選択される種別情報と、広告の概要となる概要情報と、詳細な広告情報となる詳細情報と、広告主の位置を特定する座標情報と、広告主の住所情報と、広告主の電話番号と、広告主の営業時間と、この広告情報の提供範囲を示す案内エリアなどを含んで構成される。
【００４６】
ここで、広告主とは、前記座標情報で特定される場所の店舗を示すものであって、複数の営業所を備えた広告会社である場合は、その支店それぞれが広告主として登録する。また、案内エリアとは、その範囲内で投稿情報１０１の撮影された場所があれば広告情報１０３を提供し得る範囲を示すものである。例えば、案内エリアが５ｋｍであれば、この５ｋｍ以内で撮影された場所があれば、撮影された投稿情報１０１の広告情報１０３として抽出され得ることを示す。
【００４７】
次に、図１のシステム構成図と図６から図９に示す画面遷移図を参照しながら、図５に示す動作フロー図に沿って、この実施例に係るナビゲーションシステム２の動作フローを説明する。ここで、図５はナビゲーションシステムの動作フロー図である。図６から図９はカーナビ端末の画面遷移図である。
【００４８】
図５において、利用者は、図示しないメニュー画面から目的地選択を選択すると、カーナビ端末４０の端末制御部４１は、図６に示す目的地選択画面２５０を表示する。この実施例では、目的地の選択を「名称」と「住所」と「電話番号」から選択できる。図６は、「電話番号」の選択画面２５０を示している。なお、「電話番号」を選択する選択画面は省略している。
【００４９】
図６において、目的地選択画面２５０は、電話番号を入力する目的地選択領域２５１と、検索条件を設定する検索条件設定領域２５２と、決定ボタン２５３とを備えている。この実施例では、表示装置４６の前面に操作部４３の一部を構成するタッチパネルが設けてあり、画面をタッチすることで入力操作を行うことができる。
【００５０】
目的地選択領域２５１には、入力確認表示部２５４と文字入力部２５５とから構成される。この目的地選択画面２５０は電話番号での設定であるので、文字入力部２５５はテンキーとなっているが、「名称」や「住所」であれば、文字入力部２５５は文字入力キー群となる。
【００５１】
検索条件設定領域２５２は、出発時間設定部２５６と、投稿情報設定部２５７と、投稿情報１０１の個数設定部２５８と種別選択部２５９と、広告情報設定部２６０と、広告情報１０３の種別選択部２６１とを備えている。この実施例では、検索条件設定領域２５２の設定は、プルダウンボタンをタッチすることで、選択肢が表示され、その１つをタッチすることで、入力を行うことができる。
【００５２】
出発時間設定部２５６は、現在時間が初期値となっており、他の時間であればプルダウンから選択できる。また、投稿情報設定部２５７は、表示するか否かを選択することができ、図６では「表示」が初期値となっている。ここで、投稿情報設定部２５７を「非表示」に選択すると、個数設定部２５８と種別選択部２５９と広告情報設定部２６０と種別選択部２６１は非活性状態表示となって入力することができない。個数設定部２５８は、投稿情報１０１の個数を表示制限するものであり、この実施例では１個を表示する距離を設定する。また、種別選択部２５９は、図３に示す投稿情報１０１の検索キーから対応する種別を設定するものであり、この実施例では「全て」が初期値で設定される。
【００５３】
また、広告情報設定部２６０は、広告情報１０３を表示するか否かを設定するものであり、初期値として「表示」が設定されている。この広告情報設定部２６０で「非表示」を選択すると種別選択部２６１は非活性化状態となって入力することができない。種別選択部２６１は、図４の種別情報を選択するものであり、プルダウンボタンの操作により、例えば、「ガソリンスタンド」や「レストラン」などの選択肢が表示され、これらから１つを選択することができる。ここでは、初期値として「全て」設定されている。
【００５４】
なお、この実施例では、投稿情報１０１と広告情報１０３を対で表示することを原則としているが、投稿情報設定部２５７が「非表示」であっても、広告情報１０３を表示させることができる。この設定は、図示しない設定画面で設定することができる。この場合は、投稿情報１０１を非表示として、その代わりに、広告情報１０３の画像情報を表示するようにする。
【００５５】
図５に戻り、目的地選択画面２５０において、所定の目的地の入力が行われて、決定ボタン２５３がタッチされると、端末制御部４１は、この情報を受け付け（ステップ２００）、この目的地と検索条件及びこの依頼が新規の検索であることをカーナビ管理サーバ２０に送信する（ステップ２０２）。
【００５６】
カーナビ管理サーバ２０のナビ管理制御部２１は、図１に示すルート検索部２２を動作させて目的地までのルート検索を実行する(ステップ２２０)。ルート検索部２２は地図情報管理ＤＢ２５を参照しながら目的地までの最適なルート１１０を検索する。ナビ管理制御部２１は、ルート１１０の検索が終了すると投稿情報１０１の検索を実行する(ステップ２２２)。この実施例では、投稿情報１０１の検索は、投稿管理サーバ１２で行う。このため、ナビ管理制御部２１は、投稿管理サーバ１２の投稿管理制御部１３に、ルート１０１に適した投稿情報１０１の選択を依頼する。
【００５７】
依頼を受けた投稿管理制御部１３は、個数設定部２５８の設置値に基づいて検索されたルート１１０をこの設定値で分割し、ルート１１０の最初の分割領域における座標情報と種別選択部２５８の設置値を参照しながら、この分割領域で最適な投稿情報１０１を抽出し、これを次の分割領域で順次繰り返して、目的地までの投稿情報１０１を抽出してナビ管理制御部２１に回答する。
【００５８】
なお、前記投稿情報１０１の検索は一例を述べたものであって、これに限定されるものではない。例えば、投稿情報管理ＤＢ１５にランキング項目を設けて、このランキングにより抽出したり、あるいは、ランダムに抽出したりしてもよい。更に、種別情報を充実させて、これにより、選択精度を向上させてもよい。
【００５９】
一つの分割領域に複数の投稿情報がある場合には、日時が最新のものを抽出すれば、最新の画像を提供することができる。また、検索要求のあった時刻に近いものを抽出することにより、周囲の明るさや影の方向等が要求元のカーナビ端末の状況に近似した画像情報を提供可能である。さらに、投稿情報の撮影時の走行スピードやカメラの高さ位置などの情報を投稿情報として格納すれば、検索要求のあったカーナビ端末の走行スピードや設置高さ、走行方向に応じた画像情報を抽出して提供することが可能である。このほか、天候や季節に応じた画像情報を抽出することも可能である。
【００６０】
ナビ管理制御部２１は、投稿情報１０１が抽出されると、この投稿情報１０１に合致する広告情報１０３を検索する(ステップ２２４)。この検索では、出発時間設定部２５６で設定される時間情報から、抽出された投稿情報１０１までの到達時間を算出し、この到達時間に営業時間が合致して最も近い広告情報を抽出する。
【００６１】
次に、ナビ管理制御部２１は、広告情報１０３が抽出されると、図１に示す広告ウインドウ生成部２３を動作させて、座標情報を備えた広告ウインドウ１２０を生成する。そして、この生成が完了すると、ナビ管理制御部２１は、このルート検索の依頼が新規検索であるか否かを判定し（ステップ２２８）、新規検索であれば、この生成された広告ウインドウ１２０と、この広告ウインドウ１２０に関連するデータをカーナビ端末４０に送信する。
【００６２】
一方、前記広告ウインドウ１２０を受け付けたカーナビ端末４０の端末制御部４１は、記憶部４７に格納した地図情報からルート１１０に合致する地図を抽出し、この抽出された地図１００と座標情報を備えた広告ウインドウ１２０を合成して、先ず、図７に示す全ルート表示画面２７０を表示する（ステップ２０４）。
【００６３】
図７に示す全画面表示２７０は、全ルート表示領域２７１と、拡大ウインドウ１２０ａのウインドウ表示領域２７２と、ＯＫボタン２７３と、別ルート選択ボタン２７４とが設けられている。全ルート表示領域２７１には、地図１００上にルート１１０が表示され、このルート１１０に沿ってアイコン形式の広告ウインドウ１２０は配置されている。また、ウインドウ表示領域２７２には、広告ウインドウ１２０に対応した拡大ウインドウ１２０ｂがリスト形式で上下に配置される。ウインドウ表示領域２７２に拡大ウインドウ１２０ｂが表示しきれない場合は、図示しないスクロールバーを設けるようにする。
【００６４】
この全ルート表示画面２７０によれば、拡大ウインドウ１２０ｂには到達情報１０２が付されているため、ルート１１０に沿って配置される広告ウインドウ１２０と、広告ウインドウ１２０に対応する拡大ウインドウ１２０ｂとを対比することで、全ルールにおけるそれぞれの投稿情報１０１の到達状況を確認することができる。
【００６５】
また、この図７の状態から広告ウインドウ１２０をタッチすると、図８に示す拡大ウインドウ１２０ａがアニメーションで拡大表示される。この拡大ウインドウ１２０ａには、リスト形式で表示される拡大ウインドウ１２０ｂより詳しく、かつ拡大された情報として、投稿情報１０１の画像情報と、広告情報１０３の名称、例えば「ドラッグストアＡ」と、概要情報、例えば「全品１０％ＯＦＦ」と、到達情報情報１０２、例えば「目的地まで５Ｋｍ」と表示される。この情報によれば、投稿情報１０１の詳しい内容と、この投稿情報１０１のまでの残り距離が表示されるので、ルート１１０の全工程における選択した投稿情報１０１の目安の距離が分かるので、工程における目印となり便利である。
【００６６】
図５に戻り、端末制御部４１は、全ルート表示画面２７０において、ＯＫボタン２７３が選択されると、図９に示す現在地案内画面２８０を表示し(ステップ２０８)、別ルートボタン２７４が選択されるとステップ２００に戻して、再び図６に示す目的地選択画面２５０を表示する（ステップ２０６）。
【００６７】
次に、図９において、この実施例では、ルート１１０が確定すると、現在地点Ｑ１を中心として、地図１００上にルート１１０を現した現在地案内画面２８０を表示する。この実施例では、ルート１１０に沿って投稿情報１０１が表示される広告ウインドウ１２０がアイコン形式で表示され、この広告ウインドウ１２０が所定距離に近づくとアニメーションでルート１１０からはずれた位置に拡大ウインドウ１２０ａとして拡大表示される。この拡大ウインドウ１２０ａには、投稿情報１０１の画像情報と、広告情報１０３の名称、例えば「ドラッグストアＡ」と、概要情報、例えば「全品１０％ＯＦＦ」と、到達情報情報１０２、例えば「次の交差点を右に５００ｍ」と表示される。このように、この実施例では、到達情報１０２は、投稿情報１０１に近づくと広告情報１０３の広告主である場所（店舗）までの距離として案内される。
【００６８】
図５に戻り、端末制御部４１は、ルート案内が開始されると、所定距離走行したか、あるいは所定時間経過したかを監視している（ステップ２１０）。そして、これらが経過すると、目的地までに至る広告情報１０３の座標情報（図４参照）までの距離数（所要時間を含む）を順次算出して、広告ウインドウ１２０に付随する到達情報１０２を更新しつつ、目的地までの距離数と所要時間を更新する（ステップ２１２）。
【００６９】
また、端末制御部４１は、予め設定されるルートを外れたか否かも監視している（ステップ２１４）。端末制御部４１は、ルートを外れたと判定した場合は、再検索信号を付加してステップ２０２に戻し、再度ステップ２２０から２２６までを処理し、ステップ２２８において、新規検索でないので、ステップ２０４と２０６を省略してステップ２０８に移行させる。
【００７０】
一方、ルートを外れない場合は、目的地に到着したか否かを監視する（ステップ２１６）。到着していなければステップ２１０に戻し、到着していれば、ルート案内の処理を終了する。
【００７１】
このように、この実施例によれば、広告店舗への案内の自動生成（道路状況、自車位置から計算したルート、到着時間）や店舗の開店時間に合わせた広告を配信することができる。したがって、この実施例では、利用者自身がルート検索を実施せずに、店舗までのルートと到着時間を知ることができる。また、状況に合わせてルート検索をするので、到着までの時間が正確にわかる。また、店舗の開店している時間に合わせて広告が表示されるので、店舗に行って閉まっていることがない。
【００７２】
なお、前記実施例では、カーナビ端末４０は、カーナビ管理サーバ２０から送信される広告ウインドウ１２０と関連情報を、自分の地図情報と合成する実施例で説明したが、これに限定されるものではなく、カーナビ端末４０とカーナビ管理サーバ２０とで分担してもよい。即ち、カーナビ管理サーバ２０は、ルート１１０に沿った投稿情報１０１と、この投稿情報１０１に対応した広告情報１０３の抽出を行えばよいので、他の、ルート１１０の検索や、地図１００と投稿情報１０１および広告情報１０３の合成、あるいは、到達情報１０２の算出などは、カーナビ端末４０とカーナビ管理サーバ２０とで分担しても、どちらか一方で行ってもよい。
【００７３】
また、上記説明では、到達情報１０２を距離数で説明したが、到達時間であっても、あるいは併用してもよい。
【００７４】
このように、この実施例に係る広告情報提供システム１では、移動体端末（カーナビ端末４０）の表示装置４６に地図情報を表示し、この地図１００上に目的地までのルート１１０と、このルート１１０上に存在する画像情報１０１を表示し、この画像情報１０１の近傍の広告情報１０３を表示し、この広告情報１０３に移動体端末４０からの到達情報１０２を表示するとともに、この到達情報１０２を移動体端末の移動にともなって補正するようにする。
【００７５】
即ち、この実施例に係る広告情報提供サーバ（カーナビ管理サーバ２０）は、通信手段を介して、移動体端末４０から目的地までのルート情報を取得し、撮影座標情報を備えた画像情報（投稿情報１０１）を管理する画像情報管理サーバ（投稿管理サーバ１２）から、前記ルート情報に関連した画像情報１０１を取得して、この取得した画像情報１０１を含む各種の情報を前記移動体端末４０に送信するものであって、地図情報を格納した地図情報管理データベース２５と、所在地の座標情報と営業時間情報を備えた広告情報を格納した広告情報管理データベース２６とを備え、前記移動体端末４０から出発時間と目的地までのルート情報を受け付け、前記画像情報管理サーバ１２から前記ルート情報に関する画像情報１０１を取得し、前記画像情報１０１の前記撮影座標情報と、前記所在地の座標情報と、前記営業時間情報から、広告情報管理データベース２６を検索して、前記画像情報１０１の撮影座標情報に前記移動体端末４０が到達した際に有効な広告情報１０３を抽出し、前記画像情報１０１と、この画像情報１０１に対応して抽出された広告情報１０３を、地図１００のルート上にマッピングする広告ウインドウ１２０（拡大ウインドウ１２０ａ）として生成し、前記広告ウインドウ１２０を前記移動体端末４０に送信し、前記広告ウインドウ１２０は、前記画像情報１０１と、前記抽出された広告情報１０３の名称と、広告情報の所在地までの到達情報１０２を備えるようにする。
【００７６】
この場合、画像情報管理サーバ１２は、投稿者から投稿された検索キーワードを備えた画像情報１０１であって、前記広告情報１０３は、検索キーワードとなる種別情報を備えており、広告情報提供サーバ２０は、前記ルート情報を受け付ける際に、前記検索キーワードを受け付けて、当該キーワードに該当する前記画像情報１０１と前記広告情報１０３を備えた前記広告ウインドウ１２０を生成する。
【００７７】
また、本発明に係る移動体端末４０は、位置確認手段４４と地図情報および表示装置４６とを備え、通信手段４５を介して広告情報提供サーバ２０と接続して、目的地までのルート情報に関する情報と、当該ルート１１０に関連する広告情報１０３を取得する広告情報提供システム（ナビゲーションシステム２）の移動体端末４０であって、前記表示装置４６に目的地選択画面２５０を表示して、目的地情報と出発時間情報を受け付け、この目的地情報と出発時間情報を前記広告情報提供サーバ２０に送信し、前記広告情報提供サーバ２０から、目的地情報に該当するルート１１０上にマッピングされる広告ウインドウ１２０（拡大ウインドウ１２０ａ）を取得し、前記ルート情報で設定されるルート１１０を備えた地図１００上に前記広告ウインドウ１２０をマッピングして前記表示装置４６に表示し、前記広告ウインドウ１２０は、前記ルート情報に該当する撮影座標情報を備えた画像情報１０１と、撮影座標の近傍の座標情報を備え、かつこの移動体端末４０が前記撮影座標に到達した際に有効な広告情報１０３と、前記広告情報１０３の前記座標情報までの到達情報１０２を備えるようにする。
【００７８】
この場合、前記移動体端末４０は、位置確認手段４４で取得した所定の移動距離に基づいて、前記到達情報１０２を再計算して随時更新するようにする。また、前記移動体端末４０は、前記広告情報提供サーバ２０から前記広告ウインドウ１２０を取得すると、目的地までのルート１１０を表示して利用者の確認を求める全ルート表示画面２７０を前記表示装置４６に表示し、利用者からの前記全ルート表示画面２７０におけるルートの了解を受け付けて、移動体端末４０の現在位置を中心とするルート１１０を備えた現在地案内画面２８０を前記表示装置４６に表示し、前記全ルート表示画面２７０は、ルートに沿って広告ウインドウ１２０がマッピングされた地図１００を表示する全ルート表示領域２７１と、前記広告ウインドウ１２０を拡大した拡大ウインドウ１２０ｂを表示するウインドウ表示領域２７２とを備え、前記現在地案内画面２８０は、ルート１１０に沿って前記広告ウインドウ１２０がマッピングされた地図１００が表示され、前記現在地案内画面２８０における前記広告ウインドウ１２０は、予め設定された距離に近づくとルート１１０から外れた位置に拡大表示されるようにする。
【００７９】
このように、この実施例によれば、目的地までのルートを表示する地図上に、ルート上の目印となる画像情報と、到達情報を備えた広告情報とを対で表示することで、利用者に利用されやすい広告情報を提供することができる。
（第２実施例）
図１０は、広告情報提供システム１ａである。この広告情報提供システム１ａは、投稿する画像情報の撮影と編集が簡単に行えて、これを投稿者の年齢や性別あるいは趣味情報などの充実した会員管理ＤＢ１６と連動して管理する投稿情報収集システムを特徴とするシステムである。なお、この広告情報提供システム１ａは第１の実施例と基本構成は同じであるため、以後の説明では、異なる点を主体に説明する。
【００８０】
先ず、図１０を参照して、投稿する画像情報の撮影と編集が簡単に行える投稿カーナビ端末１１ａを説明する。この投稿カーナビ端末１１ａは、大容量の記憶部４７を備えて、初期設定で設定され全ルート１１０またはルート１１０の一部を動画像として撮影し、この撮影された動画像から投稿する静止画を投稿画像１０１として切り出すことができる。
【００８１】
即ち、図１０の投稿カーナビ端末１１ａの表示装置４６に撮影位置設定画面３００を示す。この撮影位置設定画面３００は、図５のステップ２０６以降に表示可能な画面であり、この投稿カーナビ端末１１ａの操作部４３の操作によって呼び出すことができる。この撮影位置設定画面３００では、全ルート１１０が表示され、この全ルート１１０上に撮影ポイントを示す撮影アイコン３０１が表示される。
【００８２】
この他、この撮影位置設定画面３００には、撮影範囲指定ボタン群３０２と撮影位置指定ボタン群３０５が設けられている。撮影範囲指定ボタン群３０２は、全範囲撮影ボタン３０３と特定位置撮影ボタン３０４が設けられている。全範囲撮影ボタン３０３が選択されると、全ルート１１０の全てに渡って撮影する。この場合、撮影位置指定ボタン群３０５は非活性化状態となる。一方、特定位置撮影ボタン３０４が選択されると、撮影位置指定ボタン群３０５が活性化され、この撮影位置指定ボタン群３０５を操作して全ルート１１０における撮影位置を設定することができる。
【００８３】
例えば、図１０の状態では、特定位置が２箇所設定され、３箇所目の設定をしようとする状態を示している。この実施例では、特定位置が設定されると、その特定位置を中心とする所定距離、あるいは所定の時間前から撮影を開始し、特定位置を過ぎて所定距離、あるいは所定の時間後に撮影を終了する。これにより、撮影位置の画像を変更する場合は、その前後が記録されているので、図示しない編集機能で選択を変更することができる。
【００８４】
図１１は、自動撮影機能の動作フローを示したものである。図１０と図１１において、投稿カーナビ端末１１ａの端末制御部４１は、表示装置４６に表示されるルート１１０がタッチされたか否かを監視している（ステップ３１０）。端末制御部４１は、ルート１１０がタッチされると、そのタッチされたタッチ位置に撮影アイコン３０１を移動する（ステップ３１２）。そして、縮小ボタン３０６（ステップ３１４）と拡大ボタン３０７（ステップ３１８）と確定ボタン３０８（ステップ３２２）とＯＫボタン３０９（ステップ３２６）の選択操作を監視している。
【００８５】
先ず、縮小ボタン３０６が選択されると、地図情報を撮影アイコン３０１を中心に縮小表示する（ステップ３１６）。一方、拡大ボタン３０７がタッチされると、地図情報を撮影アイコン３０１を中心に拡大表示する（ステップ３２０）。また、確定ボタン３０８がタッチされると撮影位置を確定する（ステップ３２４）。そして、ＯＫボタン３０９がタッチされないとステップ３１０に戻り、ＯＫボタン３０９がタッチされると撮影位置を確定して元の画面に戻して（ステップ３２８）処理を終了する。
【００８６】
次に、図１２は、この実施例に係る端末制御部４１の撮影時の動作フローを示している。図１０と図１２において、端末制御部４１は、目的地が設定され、そのルート１１０と、そのルート１１０の撮影位置が設定されていると、図１２の動作フローを実行する。
【００８７】
即ち、端末制御部４１は現在位置が撮影位置か否かを監視している（ステップ３３０）。端末制御部４１は現在位置が撮影位置と判定すると、カメラ部４２で取得した画像を記録部４７に記録するとともに、この記録に合わせて投稿情報１０１を生成して、撮影画像と合わせて記録部４７に格納する（ステップ３３２）。ここで、この実施例では撮影が開始されると、この撮影画像とともに図３に示す投稿情報１０１を動画像と連動して記録する。これにより、動画像の特定位置（カット）に対応して投稿情報１０１が確定される。したがって、撮影位置の画像を変更しても、この画像に対応する投稿情報１０１を取得することができる。
【００８８】
そして、端末制御部４１は、撮影位置が終了したかを監視し（ステップ３３４）、撮影位置が終了していればステップ３３０に戻し、撮影位置が終了していれば目的地か否かを判定する（ステップ３３５）。そして、目的地でなければ、ステップ３３０に戻し、目的地であれば、撮影を停止する（ステップ３３８）。
【００８９】
なお、この実施例のカメラ部４２は、常に動作状態となっており、撮影位置であれば、その画像を記憶部４７に格納するようにしているが、撮影位置のたびにカメラ部４２をＯＮ状態として、その撮影画像を格納するようにしてもよい。
【００９０】
また、図１０に示すように、この実施例に係る投稿カーナビ端末１１ａは、通信網５を介して天気情報サービス会社３１と接続することができ、この天気情報サービス会社３１から投稿カーナビ端末１１ａの位置の天気情報を取得して、この天気情報を投稿情報１０１の１つの項目として撮影の都度、記憶部４７に格納することができる。天気情報のほか、投稿カーナビ端末１１ａの位置に対応した、例えば、地域情報を取得して投稿情報１０１の１つの項目として記憶部に格納してもよい。
【００９１】
また、この実施例に係る投稿管理サーバ１２は、記憶装置１４に格納される会員管理ＤＢに会員のプロフアイル情報を格納している。即ち、図１０に示すように、この実施例に係る投稿情報収集システムでは、会員募集時に、会員の氏名や性別及び年齢に加えて、趣味や趣向などのプロファイル情報を取得して、会員管理ＤＢ１６に格納する。これにより、このプロファイル情報を投稿情報検索の際の検索条件に設定することができる。
【００９２】
つまり、この実施例では、図５の投稿情報検索のステップ２２２において、プロファイル情報に基づいて、カーナビ端末４０の利用者に合った投稿情報１０１を提供することができる。
【００９３】
例えば、この実施例では、図６に示す目的地選択画面２５０に図示しないプロファイル情報入力欄を準備して、プロファイル情報を検索条件の１つとして受け付けるようにする。そして、投稿情報の検索依頼を受けた投稿管理制御部１３は、個数設定部２５８の設置値に基づいて検索されたルート１１０をこの設定値で分割し、ルート１１０の最初の分割領域における座標情報と種別選択部２５８の設置値を参照しながら、この分割領域で最適な投稿情報１０１を抽出する。この際、最適な投稿情報１０１を抽出する検索条件として、このプロファイル情報が合致する投稿者の投稿情報１０１を抽出する。そして、これを次の分割領域で順次繰り返して、目的地までの投稿情報１０１を抽出してナビ管理制御部２１に回答する。これにより、選択精度を向上さることができる。
【００９４】
また、この実施例では、このプロファイル情報を広告情報の選択に活用することができる。即ち、この実施例では、広告情報の申し込み時に広告主が求める顧客のプロファイル情報を受け付けて、これを広告情報管理ＤＢ２６に図示しないプロファイル情報として格納することができる。これにより、広告主側から広告情報を提供する利用者を選択することができる。
【００９５】
例えば、この実施例では、図５のステップ２２４において、ナビ管理制御部２１は、出発時間設定部２５６で設定される時間情報から、抽出された投稿情報１０１までの到達時間を算出し、この到達時間に営業時間が合致して最も近い広告情報を抽出する。この際、広告情報管理ＤＢ２６に格納されるプロファイル情報を検索条件の１つとする。これにより、広告主から利用者（顧客）を選択することができるので、広告効率を高めることができる。
また、広告主が広告情報の申し込み時に設定した広告表示エリア情報を広告情報管理ＤＢに格納し、検索条件の一つとすることができる。広告表示エリアを広く設定すれば、投稿情報から離れている場合にも広告情報として抽出されることがある。
【００９６】
さらに、この実施例では、広告主へのサービスとして、カーナビ端末４０の位置情報を監視し、広告情報管理ＤＢに格納される広告主の住所情報に合致する位置で停車情報を提供することができる。これを図１３のカーナビ端末の動作フロー図で更に説明する。
【００９７】
図１３において、カーナビ端末４０は、目的地が設定される運転が開始されると、カーナビ端末４０が所定の時間停車したか否かを監視する（ステップ３４０）。カーナビ端末４０は、所定時間停車すると、停車した位置とその日時情報を記憶装置４７に格納し（ステップ３４２）、目的地か否かを判定する（ステップ３４４）。目的地でない場合はステップ３４０に戻り、目的地であれば、記憶装置４７に格納した停車した位置のデータをカーナビ管理サーバ２０に送信して（ステップ３４６）、監視処理を終了する（ステップ３４６）。
【００９８】
停車した位置のデータを受け付けたカーナビ管理サーバ２０は、広告情報管理ＤＢを検索して該当する停車位置が図４に示す広告情報管理ＤＢ２６の住所情報と一致するか否かを判定する。そして、一致したものがあれば、日時情報と会員番号を図１０に示す記憶装置１４の図示しない顧客ＤＢに格納する。
【００９９】
この実施例によれば、広告申込み端末３５からの要求により、または、定期的に広告申込み端末３５に対して顧客ＤＢの情報を提供することができる。これにより、広告主は、広告効果を数値として認識することができる。
【０１００】
なお、この実施例に係るカーナビ端末４０では、ルート１１０が高速道路であると、ルート上の投稿情報１０１や広告情報であっても、一般道の投稿情報や広告情報を抽出しない。
【０１０１】
また、この実施例では、天気情報を自動的に取得できるため、図５のステップ２２２における投稿情報１０１の選択では、走行時の天候と合致する天候情報を備えた投稿情報１０１を抽出させることができる。同様に、季節や、曜日、なども投稿情報１０１の抽出条件とすることができるので、走行時の条件にあった投稿情報１０１を取得することができる。
【符号の説明】
【０１０２】
１…広告情報提供システム、２…ナビゲーションシステム、３…投稿情報収集システム、５…通信網、１０…カーナビ運営会社、１１…投稿カーナビ端末、１２…投稿管理サーバ、１３…投稿管理制御部、１４…記憶装置、１５…投稿情報管理ＤＢ、１６…会員管理ＤＢ、１７…来客ＤＢ、２０…カーナビ管理サーバ、２１…ナビ管理制御部、２２…ルート検索部、２３…ウインドウ生成部、２４…記憶装置、２５…地図情報管理ＤＢ、２６…広告情報管理ＤＢ、２７…会員管理ＤＢ、３０…道路情報提供サーバ、３１…天気情報サービス会社、３５…広告申込み端末、４０…カーナビ端末、４１…端末制御部、４２…カメラ部、４３…操作部、４４…ＧＰＳ部、４５…通信部、４６…表示装置、４７…記憶部、９０…撮影物、１００…地図、１０１…投稿情報、１０２…到達情報、１０３…広告情報、１１０…ルート、１２０…広告ウインドウ、１２０ａ…拡大ウインドウ、２５０…目的地選択画面、２５１…目的地選択領域、２５２…検索条件設定領域、２５３…決定ボタン、２５４…入力確認表示部、２５５…文字入力部、２５６…出発時間設定部、２５７…投稿情報設定部、２５８…個数設定部、２５９…種別選択部、２６０…広告情報設定部、２６１…種別選択部、２７０…全ルート表示画面、２７１…全ルート表示領域、２７２…ウインドウ表示領域、２７３…ＯＫボタン、２７４…別ルート選択ボタン、２８０…現在地案内画面、３００…撮影位置設定画面、３０１…撮影アイコン、３０２…撮影範囲指定ボタン群、３０３…全範囲撮影ボタン、３０４…特定位置撮影ボタン、３０５…撮影位置指定ボタン群、３０６…縮小ボタン、３０７…拡大ボタン、３０８…確定ボタン、３０９…ＯＫボタン、
Ｐ１…光軸、Ｑ１…現在地点
【図１】
2010102685.tif 000003
【図２】
2010102685.tif 000004
【図３】
2010102685.tif 000005
【図４】
2010102685.tif 000006
【図５】
2010102685.tif 000007
【図６】
2010102685.tif 000008
【図７】
2010102685.tif 000009
【図８】
2010102685.tif 000010
【図９】
2010102685.tif 000011
【図１０】
2010102685.tif 000012
【図１１】
2010102685.tif 000013
【図１２】
2010102685.tif 000014
【図１３】
2010102685.tif 000015